(57)【特許請求の範囲】
【請求項１】
ヒータと、
スチーム発生部であって、液体を貯留可能で且つ前記ヒータからの熱を受熱可能な液体貯留室と、前記液体貯留室内で蒸発したスチームを吹き出すスチーム吹出口と、前記スチーム吹出口に設けられスチームの圧力が所定値を超えると前記スチーム吹出口を開く圧力弁と、前記液体貯留室の液面よりも高い位置に設けられた連通部を通じて前記液体貯留室に連通するスチーム室と、を有するスチーム発生部と、
を備えて構成され、
前記スチーム室に前記スチーム吹出口が設けられている髪ケア装置であって、
前記髪ケア装置は、吸込口および吹出口を有する風洞ケースと、前記風洞ケース内に配置されたファンと、前記風洞ケース内に配置される前記ヒータと、を備えるヘアドライヤーであり、
前記スチーム発生部は、前記風洞ケース内において前記ヒータからの熱を受熱可能な位置に、前記ヒータと対面配置されるとともに離間して配置されていることを特徴とする髪ケア装置。
【請求項２】
ヒータと、
スチーム発生部であって、液体を貯留可能で且つ前記ヒータからの熱を受熱可能な液体貯留室と、前記液体貯留室内で蒸発したスチームを吹き出すスチーム吹出口と、前記スチーム吹出口に設けられスチームの圧力が所定値を超えると前記スチーム吹出口を開く圧力弁と、前記液体貯留室の液面よりも高い位置に設けられた連通部を通じて前記液体貯留室に連通するスチーム室と、を有するスチーム発生部と、
を備えて構成され、
前記スチーム室に前記スチーム吹出口が設けられている髪ケア装置であって、
前記髪ケア装置は、吸込口および吹出口を有する風洞ケースと、前記風洞ケース内に配置されたファンと、前記風洞ケース内に配置される前記ヒータと、を備えるヘアドライヤーであり、
前記スチーム発生部は、前記風洞ケースの外側に取り付けられ、前記ヒータからの熱を前記風洞ケースに形成された開口を通じて受熱可能に設けられて前記ヒータと対面配置されていることを特徴とする髪ケア装置。
【請求項３】
請求項１または２に記載の髪ケア装置であって、
前記液体貯留室と前記スチーム室とを連通する前記連通部は、液体の通過を抑制しつつスチームを通過させるフィルタ部材で覆われていることを特徴とする髪ケア装置。
【発明の詳細な説明】
【技術分野】
【０００１】
本発明は、髪ケア装置に関する。
【背景技術】
【０００２】
特許文献１に開示される従来の髪ケア装置としてのヘアドライヤーは、吸込口および吹出口を有する風洞ケースと、風洞ケース内に配置された送風用ファンと、風洞ケース内の吹出口近傍に配置され且つ吹出口に向けて複数の小孔が開口するスチーム生成管と、スチーム生成管の外周に巻かれたヒータと、風洞ケースの握り部内に配置されスチーム生成管に導水管を介して接続された水タンクと、を備えて構成されている。
【０００３】
この特許文献１のヘアドライヤーによれば、スイッチをＯＮして送風ファンとヒータとを作動させると、吸込口から吸い込まれた空気は、ヒータにより加熱されて吹出口から熱風として吹き出される。この熱風により、霧吹き現象と同様に水タンク内の水は導水管を上昇してスチーム生成管に送られる。スチーム生成管に送られた水は、当該スチーム生成管の外周に巻装されたヒータによって加熱されてスチームになり、スチーム生成管から吹き出されて、熱風とともに吹出口から吹き出される。そのため、スチームを含んだ熱風が得られるため、整髪を容易にすることができる。
【特許文献１】実開昭４７−１６３０６公報
【発明の開示】
【発明が解決しようとする課題】
【０００４】
しかしながら、前記従来の髪ケア装置にあっては、スチームの噴霧圧力が弱いために、スチームが毛髪の一部にしかあたらない虞がある。
【０００５】
本発明は、このような従来技術をもとに為されたものであって、スチーム発生部の噴霧圧力を高めることができる髪ケア装置の提供も目的とする。
【課題を解決するための手段】
【０００６】
請求項１に記載の発明は、ヒータと、スチーム発生部と、を備え、前記スチーム発生部は、液体を貯留可能で且つ前記ヒータからの熱を受熱可能な液体貯留室と、前記液体貯留室内で蒸発したスチームを吹き出すスチーム吹出口と、前記スチーム吹出口に設けられスチームの圧力が所定値を超えると前記スチーム吹出口を開く圧力弁と、前記液体貯留室の液面よりも高い位置に設けられた連通部を通じて前記液体貯留室に連通するスチーム室と、を備えて構成され、前記スチーム室に前記スチーム吹出口が設けられている髪ケア装置であって、前記髪ケア装置は、吸込口および吹出口を有する風洞ケースと、前記風洞ケース内に配置されたファンと、前記風洞ケース内に配置される前記ヒータと、を備えるヘアドライヤーであり、前記スチーム発生部は、前記風洞ケース内において前記ヒータからの熱を受熱可能な位置に、前記ヒータと対面配置されるとともに離間して配置されていることを特徴とするものである。
【０００７】
請求項２に記載の発明は、ヒータと、スチーム発生部と、を備え、前記スチーム発生部は、液体を貯留可能で且つ前記ヒータからの熱を受熱可能な液体貯留室と、前記液体貯留室内で蒸発したスチームを吹き出すスチーム吹出口と、前記スチーム吹出口に設けられスチームの圧力が所定値を超えると前記スチーム吹出口を開く圧力弁と、前記液体貯留室の液面よりも高い位置に設けられた連通部を通じて前記液体貯留室に連通するスチーム室と、を備えて構成され、前記スチーム室に前記スチーム吹出口が設けられている髪ケア装置であって、前記髪ケア装置は、吸込口および吹出口を有する風洞ケースと、前記風洞ケース内に配置されたファンと、前記風洞ケース内に配置される前記ヒータと、を備えるヘアドライヤーであり、前記スチーム発生部は、前記風洞ケースの外側に取り付けられ、前記ヒータからの熱を前記風洞ケースに形成された開口を通じて受熱可能に設けられて前記ヒータと対面配置されていることを特徴とするものである。
【０００８】
請求項３に記載の発明は、請求項１または２に記載の髪ケア装置であって、前記液体貯留室と前記スチーム室とを連通する前記連通部は、液体の通過を抑制しつつスチームを通過させるフィルタ部材で覆われていることを特徴とするものである。
【００１１】
なお、本発明の髪ケア装置は、例えばヘアドライヤーに限らず、ヘアアイロン、ヘアブラシやその他の髪ケア装置に利用することができる。
【００１２】
例えば、髪ケア装置がヘアドライヤーである場合には、吸込口および吹出口を有する風洞ケースと、前記風洞ケース内に配置されたファンと、前記風洞ケース内に配置されるヒータと、を備え、前記スチーム発生部を前記風洞ケース内または外に配置することで適用できる。なお、このとき、風洞ケース内に配置するヒータとしては、スチーム発生部を加熱するスチーム用ヒータとは別途、温風用のヒータを設けてもよいし、スチーム発生部を加熱するスチーム用ヒータを用いてもよい。
【００１３】
また、髪ケア装置がヘアアイロンである場合には、互いに回転自在に装着されて挟持自在に設けられた一対の胴部と、前記一対の胴部の挟持面において毛髪を挟み込んで加熱する一対のアイロン板と、を備え、前記一対の胴部の少なくとも一方に、ヒータおよびスチーム発生部を配置し、当該一方の胴部の前記アイロン板の近傍にスチーム吹出口を設けることで適用できる。
【００１４】
また、髪ケア装置がヘアブラシである場合には、胴部と、前記胴部に固定され毛髪をブラッシング自在なブラシ部と、を備え、胴部にヒータおよびスチーム発生部を配置し、ブラシ部の近傍位置に前記スチーム発生部のスチーム吹出口を設けることで適用できる。
【発明の効果】
【００１５】
請求項１に記載の発明によれば、スチーム発生部のスチーム吹出口から吹き出されるスチームが所定の圧力以上で吹き出されるため、スチーム発生部の噴霧圧力を高めて、毛髪により確実にスチームを噴霧することができる。
また、スチーム発生部は、液体を貯留する液体貯留室とスチーム吹出口を有するスチーム室とに区画されているため、当該スチーム吹出口が液体に塞がれてスチーム吹出口からスチームが噴霧できなくなることを抑制できる。
髪ケア装置がヘアドライヤーである場合に、風洞内に配置したヒータを、スチーム発生部を加熱するためのスチーム用ヒータと、空気を暖めて温風を発生させるための温風用ヒータと、して兼用できる。そのため、スチーム用のヒータが別途設ける必要がなく、製造コストを低減できる。
また、スチーム発生部は、ヒータと対面配置されているとともに離間して配置されているので、ヒータからの熱を効率よく受熱できるとともに、ヒータにより加熱されすぎてしまうことを防止することができる。
【００１６】
請求項２に記載の発明によれば、スチーム発生部のスチーム吹出口から吹き出されるスチームが所定の圧力以上で吹き出されるため、スチーム発生部の噴霧圧力を高めて、毛髪により確実にスチームを噴霧することができる。
また、スチーム発生部は、液体を貯留する液体貯留室とスチーム吹出口を有するスチーム室とに区画されているため、当該スチーム吹出口が液体に塞がれてスチーム吹出口からスチームが噴霧できなくなることを抑制できる。
髪ケア装置がヘアドライヤーである場合に、風洞内に配置したヒータを、スチーム発生部を加熱するためのスチーム用ヒータと、空気を暖めて温風を発生させるための温風用ヒータと、して兼用できる。そのため、スチーム用のヒータを別途設ける必要がなく、製造コストを低減できる。
また、風洞内にスチーム発生部を配置しないため、風洞内の風の乱れが減り且つ風洞内の通路抵抗を低くでき、ヘアドライヤーの送風性能を高く維持できる。
また、スチーム発生部は、風洞ケース内に配置されるヒータと対面配置されているとともに風洞ケースの外側に取り付けられているので、ヒータからの熱を効率よく受熱できるとともに、ヒータにより加熱されすぎてしまうことを防止することができる。
【００１７】
請求項３に記載の発明によれば、液体貯留室とスチーム室とを連通する連通部が、液体の通過を抑制しつつスチームを通過させるフィルタ部材で覆われているため、液体貯留室からスチーム室へ液体が流出しにくくなり、より確実にスチーム室のスチーム吹出口が液体で塞がれてしまうことを防止できる。
【発明を実施するための最良の形態】
【００２０】
以下、本発明の実施形態を図面を参照しつつ説明する。
【００２１】
（第１実施形態）図１および図２は本発明の第１実施形態にかかる髪ケア装置としてのヘアドライヤーを示す。図１は第１実施形態の髪ケア装置としてのヘヤドライヤーの断面図であり、図２は同ヘアドライヤーのスチーム発生部のスチーム吹出口の近傍の拡大図である。
【００２２】
（構成）
本実施形態にかかる髪ケア装置としてのドライヤー１は、温風発生ユニット２と、当該温風発生ユニット２に固定的または回転自在に取り付けられたグリップ部４と、を備えて構成されている。
【００２３】
温風発生ユニット２は、略円筒状の風洞ケース３内に、ファンユニット５およびヒータ７およびスチーム発生部９が配置されて構成されている。風洞ケース３は、内部に送風路としての風洞を備え、その上流端には吸込口３ｂが開口し、下流端に吹出口３ｃが開口している。この風洞ケース３の吸込口３ｂの近傍には、ファンユニット５が設けられている。ファンユニット５は、風洞ケース３内の嵌合された略円筒状のファンケース５ｃと、ファンケース５ｃの内周側から突設されたリブなどの支持部を介してファンケース５ｃに固定されたファンモータ５ｍと、ファンモータ５ｍの出力軸に取り付けられてファンモータ５ｍによって回転駆動するファン５ｆと、を備えて構成されている。
【００２４】
ファンユニット５の下流側には、風洞ケース３の略径方向中央部にヒータ７が配置されおり、ファンユニット５からの送風を加熱できるようになっている。ヒータ７は、例えば円柱状のヒータ固定部８の外周に螺旋状に巻回された例えばニクロム線などの電熱線によって構成されている。
【００２５】
このヒータ７の外周側にはスチーム発生部９が配置されている。スチーム発生部９は、ヒータ７から離間して配置されているがヒータ７からの熱を効率よく受熱できるように一部が対面配置されており、一方でヒータ７により加熱されすぎてしまうことを防止するため、ヒータ７とスチーム発生部９との間にファン５ｆからの送風が通風できるようになっている。
【００２６】
次にスチーム発生部９の構造をより詳しく説明する。
【００２７】
スチーム発生部９は、略箱形状をしており、風洞ケース３の内周面に固定されている。スチーム発生部９の外壁には、液体を注水可能な注水部１５設けられており、この注水部は栓１７で開閉自在となっている。スチーム発生部９の内部には、液体を貯留可能な液体貯留室１１と、スチーム室１２と、が設けられている。液体貯留室１１は、ヒータ７からの熱を受熱可能な位置に配置されており、ヒータ７の熱により液体貯留室１１内の液体が沸騰することとなる。この液体貯留室１１とスチーム室１２と区画する区画壁には、液体貯留室１１に貯留される液体の液面よりも高い位置にこれら液体貯留室１１とスチーム室１２とを連通する連通部１４が設けられており、液体貯留室１１で蒸発したスチームはスチーム室１２に流れ込むようになっている。スチーム室１２にはスチーム発生部９外に開口するスチーム吹出口１３が開口しており、このスチーム吹出口１３からスチーム発生部９外にスチームが噴霧される。このとき、このスチーム吹出口１３は、風洞ケース３の吹出口３ｃの近傍において当該吹出口３ｃに向けて設けられており、圧力弁１９によって開閉自在となっている。そのため、スチーム発生部９内のスチームの圧力が所定値を超えないと、スチームが噴霧されない。
【００２８】
このような構成により、液体貯留室１１内の液体が沸騰して蒸発すると、蒸発したスチームが液体貯留室１１およびスチーム室１２内に充満する。そして、スチーム室１２内の圧力が所定値以上になると、圧力弁１９を開いて、スチーム吹出口１３からスチームが噴霧されることとなる。
【００２９】
（作用）
次に、本実施形態のヘアドライヤー１の作用を説明する。
【００３０】
ドライヤー１のグリップ部４に設けられた図示せぬスイッチを操作して、ファンユニット５およびヒータ７が作動させると、ファンユニット５によって吸込口３ｂから風洞ケース３内に吸い込まれ、吸い込まれた空気は、ヒータ７で加熱されて熱風として吹出口３ｃから吹き出され、毛髪に吹き付けられる。
【００３１】
このとき、スチーム発生部９は、ヒータ７によって加熱され、内部で蒸発したスチームは所定の圧力以上となるとスチーム吹出口１３から風洞の吹出口３ｃに向けて噴霧される。これにより、吹出口３ｃから吹き出される熱風に混じって、スチーム発生部９からのスチームが吹き出され、毛髪に吹き付けられることとなる。
【００３２】
（効果）
このような本実施形態のヘアドライヤー１によれば、以下のような効果が得られる。
【００３３】
（１）本実施形態のヘアドライヤー１によれば、風洞ケース３と、風洞ケース３内に配置されたファン５ｆと、風洞ケース３内に配置されるヒータ７と、風洞ケース３内においてヒータ７からの熱を受熱可能な位置に配置されたスチーム発生部９と、を備えるため、風洞ケース３から吹き出される熱風にスチーム発生部９からスチームが混合されることとなり、風洞ケース３から加湿された熱風を吹き出すことができる。これにより、整髪を容易にすることができる。
【００３４】
（２）本実施形態のヘアドライヤー１によれば、スチーム吹出口１３に圧力弁１９が設けられているため、圧力弁１９によってスチームが所定の圧力以上で吹き出されることとなる。そのため、高い噴霧圧力でスチームを噴霧でき、スチームをより確実に毛髪に当てることができる。
【００３５】
（３）また本実施形態のヘアドライヤー１によれば、スチーム発生部９が、液体を貯留する液体貯留室１１とスチーム室１２とに区画され、これら液体貯留室１１とスチーム室１２とが液体貯留室１１の液面よりも高い位置に形成された連通部１４で連通しているため、液体貯留室１１からスチーム室１２へ液体が流出しにくくなり、当該スチーム室１２のスチーム吹出口１３が液体で塞がれにくくなる。結果、スチーム吹出口１３が液体で塞がれて、スチーム吹出口１３からスチームを噴霧できないようなことを防止できる。
【００３６】
（４）また本実施形態のヘアドライヤー１によれば、風洞ケース３内に配置したヒータ７を、温風を発生させるための温風用ヒータと、スチーム発生部９を加熱するためのスチーム用ヒータと、として兼用できる。そのため、スチーム用ヒータを別途設ける必要がなく、製造コストを低減できる。
【００３７】
（５）また本実施形態のヘアドライヤー１は、スチーム発生部９とヒータ７との間に隙間があり、この隙間をファン５ｆから送風が通過するため、スチーム発生部９が高温（この例では７００℃〜１０００℃程度）の電熱線ヒータで直接加熱される構造と異なり、熱風（この例では１００℃〜１２０℃程度）で間接的に加熱されることとなる。そのため、当該スチーム発生部９が過剰に加熱されてしまうことが防止され、スチーム発生部９の耐久年数を長くすることができる。
【００３８】
（圧力弁）
次に、圧力弁１９の例を説明する。図３は圧力弁１９の第１の例、図４は圧力弁の第２の例である。なお、図４（ａ）は圧力弁の断面図、図４（ｂ）は図４（ａ）中の矢印Ｂ方方向から見た圧力弁の正面図である。
【００３９】
図３に示す圧力弁１９Ａは、回転軸２１と、回転軸２１に軸支され且つ前記スチーム吹出口１３を開閉自在なドア板状の弁体２３と、回転軸２１に巻装され弁体２３をスチーム吹出口１３側に付勢する付勢手段としての図示せぬコイルスプリングと、を備えて構成されている。このような構成により、スチーム発生部９内の圧力が所定値を超えると、コイルスプリングの付勢力に抗してスチーム吹出口１３が開くことこなる。
【００４０】
図４に示す圧力弁１９Ｂは、スチーム吹出口１３を覆うようにスチーム発生部９の外壁に取り付けられたケージ３１と、このケージ３１内に配置され且つスチーム吹出口１３を開閉自在な略テーパ形状の弁体３３と、ケージ３１と弁体３３との間に圧縮保持され弁体３３をスチーム吹出口１３側に付勢する付勢手段としてのコイルスプリング３５と、を備えて構成されている。このような構成により、スチーム発生部９内の圧力が所定値を超えると、コイルスプリング３５の付勢力に抗してスチーム吹出口１３が開き、スチーム吹出口１３から吹き出されたスチームは、ケージ３１に形成された複数の窓３７（図４（ｂ）参照））を通じてケージ３１外に吹き出される。
【００４１】
なお、図３および図４は圧力弁の２つの例にすぎず、本発明はこれに限定解釈されるものではなく、その他の様々な形態を採用できる。
【００４２】
次に、他の実施形態について説明する。なお、以下の説明において既に説明した構成については同一符号を付して、重複する説明を省略する。
【００４３】
（第２実施形態）
図５、６は第２実施形態の髪ケア装置としてのヘアドライヤーを示す。第２実施形態のヘアドライヤー１は、スチーム発生部９が風洞ケース３の外側に取り付けられている点で、第１実施形態のヘアドライヤー１と異なっている。スチーム発生部９はヒータ７とほぼ対面配置されており、風洞ケース３に形成された開口４１を通じて、ヒータ７からの熱を受熱可能に配置されている。ファン５ｆおよびヒータ７が作動すると、ヒータ７で加熱された熱風によって、スチーム発生部９が間接的に温められ、スチーム発生部９内で発生するスチームがスチーム吹出口１３から吹出されることとなる。
【００４４】
このような第２実施形態のヘアドライヤー１によれば、第１実施形態の効果に加え、風洞内にスチーム発生部９を配置しないため、風洞内の風の乱れが減り且つ風洞内の通路抵抗を低くでき、ヘアドライヤー１の送風性能を高く維持できる。
【００４５】
また第２実施形態のヘアドライヤー１によれば、複雑な構造を付加することなく、風洞ケース３の吹出口３ｃから乾いた温風を吹き出とともに、風洞ケース３の吹出口３ｃとは別の位置からスチームを噴霧することができる。
【００４６】
また第２実施形態のヘアドライヤー１によれば、第１実施形態と同様に、圧力弁１９によってスチームが所定の圧力以上で吹き出されることとなるため、高い噴霧圧力でスチームを噴霧でき、スチームをより確実に毛髪に当てることができる。
【００４７】
また第２実施形態のヘアドライヤー１によれば、第１実施形態と同様に、スチーム発生部９とヒータ７とが離間しており、これらの間の隙間をファン５ｆから送風が通過するため、スチーム発生部９を熱風で間接的に加熱できる。そのため、当該スチーム発生部９が過剰に加熱されてしまうことを防止でき、スチーム発生部９の耐久年数を長くすることができる。
【００４８】
次に、スチーム発生部９の変形例を図７、図８を参照しつつ説明する。
【００４９】
（スチーム発生部の第１の変形例）
図７はスチーム発生部の第１の変形例である。図７に示す第１変形例のスチーム発生部９Ｂは、液体貯留室１１とスチーム室１２との位置関係が第１実施形態と異なっている。具体的には、第１実施形態のスチーム発生部９は液体貯留室１１内にスチーム室１２が区画された構造であったが、第１の変形例のスチーム発生部９は液体貯留室１１外にスチーム室１２が設けられている。スチーム室１２は液体貯留室１１の上方に設けられ、液体貯留室１１の上壁４３つまりスチーム室１２の底壁４３によってこれら２つの部屋１１、１２が区画されている。この区画壁４３に両部屋１１、１２を連通する連通部１４が設けられている。
【００５０】
このような第１変形例のスチーム発生部９Ｂによれば、スチーム室１２の底壁４３に、当該スチーム室１２と液体貯留室１１とを連通する連通部１４が設けられているため、スチーム室１２に液体が溜まっても当該スチーム室１２の底壁４３に開口する連通部１４から、液体が液体貯留室１１へ戻ることとなり、スチーム室１２に液体が溜まりにくくなり、スチーム室１２に形成されたスチーム吹出口１３がさらに液体で塞がれにくくなる利点がある。
【００５１】
（スチーム発生部の第２の変形例）
図８はスチーム発生部の第２の変形例である。図８に示す第２の変形例のスチーム発生部９Ｃも、液体貯留室１１とスチーム室１２との位置関係が第１実施形態と異なっている。具体的には、第２の変形例のスチーム発生部９Ｃは、液体貯留室１１とスチーム室１２とが水平方向に連設されており、液体貯留室１１とスチーム室１２とを連通する連通部１４が、液体の通過を抑制しつつスチームを通過を許容するフィルタ部材４５で覆われている。そのため、スチーム室１２に液体が溜まりにくくなり、より確実にスチーム吹出口１３が液体に塞がれてしまうことを防止できる。なお、フィルタ部材としては、布や網などの素材であれば、液体貯留室１１からスチーム室１２への液体の流入を抑制できるが、特に、液体を通さず気体を通過させる素材（透湿防水シート）であると、より確実に流体の流入を防止できるため、好ましい。
【００５２】
またこの第２の変形例では、液体貯留室１１の外壁（この例では液体貯留室１１の底壁）がヒータ７に対面配置されているだけでなく、スチーム室１２の外壁（この例ではスチーム室１２の底壁）もヒータ７に対面配置されている。そのため、スチーム室１２の温度を高く維持しやすく、スチーム室１２内の圧力を高く維持して、高い圧力のスチームの噴霧できる。
【００５３】
なお、本発明では、図７、８の変形例のスチーム発生部のみに限定解釈されるものではなく、その他の態様のスチーム発生部を適用可能である。 
（第３実施形態）
図９、図１０は第３実施形態の髪ケア装置としてのヘアアイロンを示す図である。
【００５４】
本実施形態の髪ケア装置はヘアアイロンである点で、第１、２実施形態のヘアドライヤーと異なる。本実施形態のヘアアイロン１００は、図９に示すように、ピボット部１０９を介して互いに回転自在に装着されて挟持自在に設けられた一対の胴部１０１、１０３と、前記一対の胴部１０１、１０３の挟持面において髪を挟み込んで加熱する一対のアイロン板１０１ｂ、１０３ｂと、備えて構成されている。
【００５５】
一方の胴部１０１の内部には、図９、１０に示すように、アイロン板１０１ｂを加熱するヒータ１０５と、スチーム発生部９と、が配置されている。このスチーム発生部９は、ヒータ１０５と同様にアイロン板１１０ｂの裏面に取り付けられており、ヒータ１０５と直接接触している。
【００５６】
アイロン板１０１ｂには、複数のスチーム吹出孔１１３が貫通形成されており、このスチーム吹出孔１１３は、当該スチーム吹出孔１１３とスチーム発生部９のスチーム吹出口１３とを連通するスチーム通路１１５を通じて連通している。
【００５７】
胴部１０１の側面に設けられた図示せぬスイッチをＯＮすると、ヒータ７が作動して、ヒータ７に接触するアイロン板１０１ｂおよびスチーム発生部９が加熱される。すると、スチーム発生部９のスチーム吹出口１３からのスチームが吹き出され、スチーム通路１１５およびスチーム吹出孔１１３を介してアイロン板１０１ｂの表面から噴出される。
【００５８】
そのため、このようなヘアアイロン１００によれば、一対の胴部１０１、１０３に巻き取った髪に対してスチームを吹き出すことができ、髪を加湿しながら髪にウエーブをかけたり癖毛を直したりできるため、整髪が容易となる。
【００５９】
このとき、本実施形態においても、スチーム吹出口１３から吹き出されるスチームは圧力弁１９によって所定の圧力以上に維持されるため、高い噴霧圧力でスチームを噴霧でき、スチームをより確実に毛髪に当てることができる。
【００６０】
（第４実施形態）
図１１は第４実施形態の髪ケア装置を示す図である。
【００６１】
本実施形態の髪ケア装置はヘアブラシ２００である点で、第１〜３実施形態と異なる。
【００６２】
本実施形態のヘアブラシ２００は、使用者が把持可能な胴部２０１と、胴部２０１に固定され毛髪をブラッシング自在なブラシ部（ブリッスル部）２０３と、を備えて構成されている。胴部２０１内には、スチーム発生部９と、ヒータ２０５と、図示せぬ電池と、が配置されており、胴部１０１のうちブラシ部２０３の中央部に、スチーム発生部９のスチーム吹出口１３を露出させる開口２０７が設けられている。胴部２０１の側面には図示せぬスイッチが設けられており、スイッチをＯＮすると、ヒータ２０５によってスチーム発生部９が加熱され、スチーム発生部９のスチーム吹出口１３からスチームが吹き出される。
【００６３】
このようなヘアブラシ２００によれば、毛髪にブラッシングをかけながらスチームを吹き出すことができるため、整髪が容易となる。
【００６４】
また本実施形態においても、上述の第１〜３実施形態と同様に、吹き出されるスチームは圧力弁１９によって所定の圧力以上に維持されるため、高い噴霧圧力でスチームを噴霧でき、スチームをより確実に毛髪に当てることができる。
【００６５】
なお本発明の髪ケア装置は上述の実施形態に例をとって説明したが、これら実施形態に限定解釈されるべきではなく本発明の要旨を逸脱しない範囲で他の実施形態を採用することができる。例えば、ヘアドライヤー、ヘアアイロン、ヘアブラシに限られることなく、その他の髪ケア装置にあっても本発明を適用することができる。
【図面の簡単な説明】
【００６６】
【図１】図１は本発明の第１実施形態の髪ケア装置としてのヘアドライヤーを示す断面図。
【図２】図２は同ヘアドライヤーのスチーム発生部の近傍の拡大断面図。
【図３】図３はスチーム発生部の圧力弁の一例を示す拡大断面図。
【図４】図４はスチーム発生部の圧力弁の他の例を示す拡大図であって、図４（ａ）は断面図、図４（ｂ）は図４ａ中の矢示Ｂ方向からみた正面図。
【図５】図５は第２実施形態の髪ケア装置としてのヘアドライヤーを示す断面図。
【図６】図６は第２実施形態のヘアドライヤーのスチーム発生部の近傍の拡大断面図。
【図７】図７はスチーム発生部の第１の変形例を示す拡大断面図。
【図８】図８はスチーム発生部の第２の変形例を示す拡大断面図。
【図９】図９は第３実施形態の髪ケア装置としてのヘアアイロンを示す断面図。
【図１０】図１０は同ヘアアイロンのスチーム発生部の近傍の拡大断面図。
【図１１】図１１は第４実施形態の髪ケア装置としてのヘアブラシの断面図。
【符号の説明】
【００６７】
１…ヘアドライヤー（髪ケア装置）
３…風洞ケース
３ｂ…吸込口
３ｃ…吹出口
５ｆ…ファン
７…ヒータ
９…スチーム発生部
９Ｂ…スチーム発生部
９Ｃ…スチーム発生部
１１…液体貯留室
１２…スチーム室
１３…スチーム吹出口
１４…連通部
１９…圧力弁
１９Ａ…圧力弁
１９Ｂ…圧力弁
４５…フィルタ部材
１００…ヘアアイロン（髪ケア装置）
１０５…ヒータ
２００…ヘアブラシ（髪ケア装置）
２０５…ヒータ
【図１】
0004950840.tif 000002
【図２】
0004950840.tif 000003
【図３】
0004950840.tif 000004
【図４】
0004950840.tif 000005
【図５】
0004950840.tif 000006
【図６】
0004950840.tif 000007
【図７】
0004950840.tif 000008
【図８】
0004950840.tif 000009
【図９】
0004950840.tif 000010
【図１０】
0004950840.tif 000011
【図１１】
0004950840.tif 000012